(57)【要約】      （修正有）【課題】２つの広告面板が相対向して位置している両面看板用の光源として適した直管蛍光灯型ＬＥＤランプを提供する。【解決手段】両面看板用直管蛍光灯型ＬＥＤランプは、光を透過する円筒状カバー２内に長手方向へ延びる支持体３が、円筒状カバー２の内側底部に設けられ長手方向へ延びる幅狭の支持脚部１０と、該支持脚部１０に連設され上方へ延びる支持板１１とを有し、該支持板１１の両側面に多数のＬＥＤ４が長手方向に配列して取り付けられている。さらに、円筒状カバー２の内側上部に支持板１１の上端部に対向して位置する反射板１７が設けられ、支持体３の両側部及び上端部と、円筒状カバー２の内側壁面との間に空所部１５が形成されている。【選択図】図３
2013033594.tif 000002
【特許請求の範囲】
【請求項１】
光を透過する円筒状カバー内に長手方向へ延びる支持体が設けられ、該支持体に多数のＬＥＤが長手方向に配列して取り付けられている直管蛍光灯型ＬＥＤランプであって、
前記支持体が、前記円筒状カバーの内側底部に設けられ長手方向へ延びる幅狭の支持脚部と、該支持脚部に連設され上方へ延びる支持板とを有し、前記支持板の両側面に多数のＬＥＤが長手方向に配列して取り付けられており、
前記円筒状カバーの内側上部に前記支持板の上端部に対向して位置する反射板が設けられ、
前記支持体の両側部及び上端部と、前記円筒状カバーの内側壁面との間に空所部が形成されていることを特徴とする両面看板用直管蛍光灯型ＬＥＤランプ。
【請求項２】
前記円筒状カバーが難燃性ポリカーボネートで構成され、前記支持体がアルミニウム合金の型材により構成されていることを特徴とする請求項１記載の両面看板用直管蛍光灯型ＬＥＤランプ。
【請求項３】
前記支持板の基端部両側にＬＥＤ支承アームが突設されていることを特徴とする請求項１又は２記載の両面看板用直管蛍光灯型ＬＥＤランプ。
【請求項４】
前記支持脚部の幅が、前記円筒状カバーの直径に対して１０％〜２０％である請求項１〜３のいずれかに記載の両面看板用直管蛍光灯型ＬＥＤランプ。
【発明の詳細な説明】
【技術分野】
【０００１】
本発明は、光源にＬＥＤ（発光ダイオード）を利用した直管蛍光灯型ＬＥＤランプに関し、特に光源と照射面（広告面板）とが接近して、かつ、２つの広告面板が相対向している両面看板の表示ランプに適している両面看板用直管蛍光灯型ＬＥＤランプに関するものである。
【背景技術】
【０００２】
従来、消費電力が極めて小さく、寿命の長い光源としてＬＥＤを利用した照明灯、表示灯は、種々のタイプのものが知られている。また、既存の直管蛍光灯に代えて使用を可能とした直管蛍光灯型ＬＥＤランプについても種々提案されている（特許文献１〜４参照）。
【０００３】
上記特許文献１〜４等に開示されている直管蛍光灯型ＬＥＤランプはいずれも一般の照明用であり、光を透過する円筒状カバー内に長手方向へ延びる支持体が設けられ、該支持体に多数のＬＥＤが長手方向に配列して取り付けられている。ＬＥＤ単体の光量不足を補うため多数のＬＥＤをライン状に配置しているのであるが、ＬＥＤの光域が狭いため、特許文献１，２に記載のＬＥＤランプでは、前記支持体を断面山形状にして２つの傾斜支持面に多数のＬＥＤを２列に配置することで、光量の不足を補うと共に、光域を広げて広範囲を照明できるようにしている。
【０００４】
このような従来の直管蛍光灯型ＬＥＤランプは、天井から２ｍ〜３ｍ下方に向けて照射する一般の照明用としては実用に供し得るものであるが、例えば矩形状の看板本体枠内に設置して表面の広告面板（通常、アクリル樹脂製の乳白色である）に照射する看板用表示ランプとして使用する場合には、次のような不都合がある。
【０００５】
前記支持体が前記円筒状カバーの下半部分を塞いでいるので、該円筒状カバーを通じて照射される照射範囲が狭ばめられ、光源と広告面板との間が１０ｃｍ〜２０ｃｍと接近している看板用ランプとして、前記広告面板を広範囲に、かつ均等に照射することが困難である。照射が下方に向かう一方向で、距離がある一般照明用としては使用上、あまり影響はないが、光源が接近している広告面板に対してはできるだけ広範囲に、かつ均等に照射することが求められるからである。
【０００６】
また、上記従来の直管蛍光灯型ＬＥＤランプは、前記支持体が前記円筒状カバーの内側壁面に密着又は近接しているため、ＬＥＤの駆動ロスとして発生する熱の放熱の点で問題がある。
【発明の概要】
【発明が解決しようとする課題】
【０００７】
本発明は、上記事情に鑑みて、看板用、特に２つの広告面板が相対向して位置している両面看板用の光源として適した直管蛍光灯型ＬＥＤランプを提供することを目的としている。
【課題を解決するための手段】
【０００８】
上記課題を解決するために、本発明に係る両面看板用直管蛍光灯型ＬＥＤランプは、光を透過する円筒状カバー内に長手方向へ延びる支持体が設けられ、該支持体に多数のＬＥＤが長手方向に配列して取り付けられている直管蛍光灯型ＬＥＤランプであって、前記支持体が、前記円筒状カバーの内側底部に設けられ長手方向へ延びる幅狭の支持脚部と、該支持脚部に連設され上方及び長手方向へ延びる支持板とを有し、前記支持板の両側面に多数のＬＥＤが長手方向に配列して取り付けられており、前記円筒状カバーの内側上部に前記支持板の上端部に対向して位置する反射板が設けられ、前記支持体の両側部及び上端部と、前記円筒状カバーの内側壁面との間に空所部が形成されていることを特徴とする。
【０００９】
前記円筒状カバーは難燃性ポリカーボネートで構成され、前記支持体はアルミニウム合金の型材により構成されることが好ましい。
【発明の効果】
【００１０】
本発明に係る両面看板用直管蛍光灯型ＬＥＤランプは、円筒状カバー内に設置され、多数のＬＥＤを取り付ける前記支持体が、前記円筒状カバーの内側底部に設けられ長手方向へ延びる幅狭の支持脚部と、該支持脚部に連設され上方及び長手方向へ延びる支持板とを有し、前記支持板の両側面に多数のＬＥＤが長手方向に配列して取り付けられているから、前記ＬＥＤから放射される光は、前記円筒状カバーの両側横方向へ照射されると共に、前記円筒状カバーの内側壁面で乱反射し、さらに、前記円筒状カバーの内側上部に設けられた前記反射板により乱反射が増幅され、このように乱反射した光が、前記支持体の両側部及び上端部と、前記円筒状カバーの内側壁面との間に形成される前記空所部を通じて前記円筒状カバーの両側横方向へ広い範囲に亘って照射される。
【００１１】
したがって、このような構成を有する本発明の両面看板用直管蛍光灯型ＬＥＤランプを看板枠体内に適当数設置して、前記看板枠体に相対向して設けた２つの広告面板に対して、前記支持板の両側面に配列して取り付けた前記ＬＥＤが１０ｃｍ〜２０ｃｍに接近して配置される使用状態において、前記ＬＥＤランプの両側横方向への照射範囲が広いので、相対向する２つの前記広告面板全体をむら無く、かつ明るく照射することができる。
【００１２】
また、前記支持体と前記円筒状カバーとの間に広い空所部が存在することで、全体の放熱面積が大きくなり、前記ＬＥＤの駆動ロスにより発生する熱を効果的に放出させることができる。特に、前記支持体をアルミニウム合金の型材によって形成すると、放熱効率を大幅に向上させることができる。
【図面の簡単な説明】
【００１３】
【図１】本発明に係る両面看板用直管蛍光灯型ＬＥＤランプの一実施例を示す平面図である。
【図２】同上側面図である。
【図３】図１の３−３線に沿う断面拡大図である。
【図４】図１の４−４線に沿う断面拡大図である。
【図５】同上両面看板用直管蛍光灯型ＬＥＤランプを取付け金具に装着した状態を示す一部切欠き側面図である。
【図６】同上両面看板用直管蛍光灯型ＬＥＤランプを使用した両面表示看板の説明図である。
【発明を実施するための形態】
【００１４】
以下、本発明を図面に示す実施例に基づいて説明する。
【００１５】
図１及び図２は、本発明に係る両面看板用直管蛍光灯型ＬＥＤランプの実施の一形態を示しており、該ＬＥＤランプ１は、光を透過する円筒状カバー２内に長手方向へ延びる支持体３が設けられ、該支持体３に多数のＬＥＤ４が長手方向に配列して取り付けられ、円筒状カバー２の両端開口部に口金５，５が嵌合される構成は、従来の直管蛍光灯型ＬＥＤランプと共通しており、また、各口金５に２本の端子６，６が設けられている点も同様である。
【００１６】
円筒状カバー２は、既存の直管蛍光灯と同じように難燃性ポリカーボネートで製造され、図３に示されているように、底部（後述する取付け金具２０の本体シャーシ２１に対向する側面部分）の内側壁面に長手方向へ延びる２本の係止突条７，７が突設され、両係止突条７，７の間に支持体３を係合して保持する蟻溝状の係合溝８が形成されている。
【００１７】
支持体３は、図３及び図４に示すように、円筒状カバー２の底部に沿って長手方向へ延びる幅狭の支持脚部１０と、該支持脚部１０に連設され上方及び長手方向へ延びる扁平な支持板１１とを有し、該支持板１１の基端部両側にＬＥＤ支承アーム１２，１２が突設されている。また、支持脚部１０の長手方向両端部に口金５に取付け固定するためのビス穴１３，１３が設けられている。このような形状を有する支持体３は、アルミニウム合金の型材により一体成形され、表面積を大きくして放熱効果を高めた構造となっている。また、支持脚部１０は、下端両側縁に突設した係止突部１４，１４を有し、両係止突部１４，１４を円筒状カバー２の係合溝８に係合して、支持体３が円筒状カバー２に組み付けられ、組み付け状態において、支持体３の両側部及び上端部と、円筒状カバー２の内側壁面との間に空所部１５が形成されている。該空所部１５は、後述するＬＥＤ４から放射される光が円筒状カバー２の内側壁面に乱反射して円筒状カバー２をできるだけ広範囲に亘って照射可能にするためには広い空間とすることが望ましい。このため、支持脚部１０を幅狭な構成にしているが、図示の実施形態では、強度を考慮して支持脚部１０の横幅Ａは円筒状カバー２の直径に対して１０％〜２０％の寸法に設定されている。
【００１８】
一方、支持板１１の両側面には、多数のＬＥＤ４を配列した２枚の基板１６，１６が取付け固定され、両基板１６，１６の下端はＬＥＤ支承アーム１２，１２により支承される。さらに、円筒状カバー２の内側上部には反射板１７が係止片１８を介して取り付けられ、該反射板１７は支持板１１の上端部に対向して配置される。係止片１８は円筒状カバー２と一体的に成形するか、別体の係止片１８を円筒状カバー２の内側壁面に固着する。
【００１９】
上記のように多数のＬＥＤ４を装着した支持体３が、その支持脚部１０を円筒状カバー２の係合溝８に係合して円筒状カバー２に組み付けられると、円筒状カバー２の両端開口部に口金５を嵌装して、図４に示すように、止めビス１９でスペーサ１９ａを介して支持体３と口金５とが連結固定される。そして、口金５の端子６，６が両基板１６，１６を介して各ＬＥＤ４と電気的に接続され、本発明の両面看板用直管蛍光灯型ＬＥＤランプ１が完成する。
【００２０】
上記構成を備えた本発明の両面看板用直管蛍光灯型ＬＥＤランプ１は、図５に示すように、取付け金具２０の本体シャーシ２１の両端に装着したソケット２２，２２（図５には一方のソケット２２が示されている）に両金口５，５の端子６，６を嵌合して、支持脚部１０が本体シャーシ２１に対向する姿勢で取付け金具２０に取り付けられ（図６参照）、本体シャーシ２１に附設した電源部（安定器）２３に電気的に接続される。また、本体シャーシ２１には複数のＬＥＤランプ１を電気的に接続する接続端子台２４が附設されている。
【００２１】
取付け金具２０に取り付けられたＬＥＤランプ１は、図６に示すように、看板枠体３０内に設置して使用される。看板枠体３０は、矩形状の本体枠３１に相対向する２つの広告面板３２，３２を取り付けて形成されている。本体枠３１は金属板、プラスチック材、木材等で構成されていて、本体枠３１に固定したブラケット３３にＬＥＤランプ１を組み付けた取付け金具２０の本体シャーシ２１を装着して、ＬＥＤランプ１が両広告面板３２，３２の中間位置に設置される。このように両面看板枠体３０内に設置されたＬＥＤランプ１は、相対向する２つの広告面板３２，３２に対して１０ｃｍ〜２０ｃｍの近距離に接近して位置するけれども、通常、広告面板３２はアクリル樹脂製で浮白色を呈しているから、ＬＥＤランプ１の点灯粒は両面看板枠体３０の外側からはほとんど見えない。また、両面看板枠体３０内に設置するＬＥＤランプ１は、広告面板３２，３２の大きさに合わせて適当本数（図示の実施例では２本）を所定間隔を隔てて取り付け、両広告面板３２，３２全体を均一に、かつむら無く照射することが望ましい。
【００２２】
上記のように両面看板枠体３０内に設置されたＬＥＤランプ１は、前述したように各ＬＥＤランプ４から放射される光が円筒状カバー２の両側横方向へ照射されると共に、円筒状カバー２の内側壁面で乱反射し、さらに、円筒状カバー２の内側上部に設けた反射板１７により乱反射が増幅され、このように乱反射した光が、支持体３の両側部及び上端部と円筒状カバー２の内側壁面との間に形成される空所部１５を通じて円筒状カバー２の両側横方向へ広い範囲に亘って照射される。したがって、各ＬＥＤランプ１の照射範囲が広くなり、相対向する２つの広告面板３２，３２をむら無く、かつ明るく照射することができる。
【００２３】
また、支持体３と円筒状カバー２との間に広い空所部１５が存在することで、ＬＥＤランプ１全体の放熱面積が大きくなり、ＬＥＤの発熱を効果的に放出させることができ、放熱性の点でもすぐれている。
【産業上の利用可能性】
【００２４】
本発明の両面看板用直管蛍光灯型ＬＥＤランプは、特に２つの広告面板が相対向して設けられる両面看板の表示ランプとして好適である。
【符号の説明】
【００２５】
１  両面看板用直管蛍光灯型ＬＥＤランプ
２  円筒状カバー
３  支持体
４  ＬＥＤ（発光ダイオード）
５  口金
６  端子
７，７  係止突条
８  係止溝
１０  支持脚部
１１  支持板
１２  ＬＥＤ支承アーム
１３  ビス穴
１４  係止突部
１５  空所部
１６  基板
１７  反射板
１８  係止片
１９  止めビス
１９ａ  スペーサ
２０  取付け金具
２１  本体シャーシ
２２  ソケット
２３  電源部（安定器）
２４  接続端子台
３０  両面看板枠体
３１  本体枠
３２  広告面板
３３  ブラケット
【先行技術文献】
【特許文献】
【００２６】
【特許文献１】特開２００７−２８０７３９号公報
【特許文献２】実用新案登録第３１３９７１４号公報
【特許文献３】特許第４３２８３７９号公報
【特許文献４】特開２０１０−１６５６７号公報
【図１】
2013033594.tif 000003
【図２】
2013033594.tif 000004
【図３】
2013033594.tif 000005
【図４】
2013033594.tif 000006
【図５】
2013033594.tif 000007
【図６】
2013033594.tif 000008